【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
第１アンテナ接続端子と、第２アンテナ接続端子と、電源回路と、復調回路と、判定回路とを具備して、
前記第１アンテナ接続端子と前記第２アンテナ接続端子との間にはアンテナによって受信されるＲＦ信号が供給可能とされ、前記電源回路は前記ＲＦ信号の整流・平滑によって生成する動作電圧を前記復調回路と前記判定回路とに供給可能とされ、
前記復調回路は第１復調回路と第２復調回路とを含み、前記第１アンテナ接続端子と前記第２アンテナ接続端子との間に供給される前記ＲＦ信号は前記第１復調回路の入力と前記第２復調回路の入力とに並列に供給可能とされ、
前記第１復調回路は、前記ＲＦ信号として第１変調度を持つ第１受信信号を復調することによって第１復調出力信号を生成可能とされ、
前記第２復調回路は、前記ＲＦ信号として前記第１変調度と異なる値の第２変調度および第１フォーマットの第１通信開始信号を持つ第２受信信号と前記第２変調度および第２フォーマットの第２通信開始信号を持つ第３受信信号を復調することによって第２復調出力信号を生成可能とされ、
前記第１復調回路の前記第１復調出力信号と前記第２復調回路の前記第２復調出力信号とは、前記判定回路に供給可能とされ、
前記第１復調回路が前記第１復調出力信号を生成することを前記判定回路によって判定される場合には、前記ＲＦ信号として前記第１変調度を持つ前記第１受信信号が受信されていると前記判定回路によって判定され、
前記第１復調回路が前記第１復調出力信号を生成しないことを前記判定回路によって判定される場合には、前記判定回路は前記第１通信開始信号と前記第２通信開始信号とのフォーマットの相違を判定可能とされ、
前記第２復調回路が前記第１フォーマットの前記第１通信開始信号を持つ前記第２受信信号を復調することによって前記第２復調出力信号を生成することを前記判定回路によって判定される場合には、前記ＲＦ信号として前記第２受信信号が受信されていると前記判定回路によって判定され、
前記第２復調回路が前記第２フォーマットの前記第２通信開始信号を持つ前記第３受信信号を復調することによって前記第２復調出力信号を生成することを前記判定回路によって判定される場合には、前記ＲＦ信号として前記第３受信信号が受信されていると前記判定回路によって判定される半導体集積回路。
【請求項２】
前記第１復調回路が前記第１復調出力信号を生成することを前記判定回路によって判定された場合には、前記判定回路から生成される制御信号によって前記第２復調回路の動作が停止可能とされ、
前記第１復調回路が前記第１復調出力信号を生成しないことを前記判定回路によって判定された場合には、前記判定回路から生成される前記制御信号によって前記前記第１復調回路の動作が停止可能とされる請求項１に記載の半導体集積回路。
【請求項３】
前記第１受信信号と前記第２受信信号と前記第３受信信号とはＡＳＫ変調信号であり、前記第１変調度と前記第２変調度とはＡＳＫ変調度であり、前記第２変調度は前記第１変調度よりも小さなＡＳＫ変調度を持ち、
前記第１復調回路は大きなＡＳＫ変調度の前記第１変調度を持つ前記第１受信信号を復調することによって前記第１復調出力信号を生成可能とされ、
前記第２復調回路は前記小さなＡＳＫ変調度の前記第２変調度を持つ前記第２受信信号と前記第３受信信号を復調することによって前記第２復調出力信号を生成可能とされる請求項２に記載の半導体集積回路。
【請求項４】
前記第２受信信号の前記第１フォーマットの前記第１通信開始信号は第１ユーザーデータに先行する第１ヘッダ情報であり、
前記第３受信信号の前記第２フォーマットの前記第２通信開始信号は第２ユーザーデータに先行する第２ヘッダ情報である請求項３に記載の半導体集積回路。
【請求項５】
中央処理ユニットと、ランダムアクセスメモリと、不揮発性メモリと、受信回路と、送信回路と、変調回路とを更に具備して、
前記不揮発性メモリには、前記中央処理ユニットが実行する処理プログラムが格納され、
前記第１復調回路から生成される前記第１復調出力信号に含まれる第１受信データと前記第２復調回路から生成される前記第２復調出力信号に含まれる第２受信データとは、前記受信回路を介して前記ランダムアクセスメモリに格納され、
前記第１受信データと前記第２受信データとの一方のデータの前記ランダムアクセスメモリへの格納の以前では、前記中央処理ユニットは低消費電力状態に制御され、
前記一方のデータの前記ランダムアクセスメモリへの前記格納に応答して前記中央処理ユニットは前記低消費電力状態から動作状態に遷移され、前記動作状態に遷移した前記中央処理ユニットは前記ランダムアクセスメモリの格納データを読み出すことが可能とされ、
前記中央処理ユニットは前記ランダムアクセスメモリから読み出した前記格納データを前記処理プログラムに従って処理して当該処理データを前記ランダムアクセスメモリに格納して、当該格納の後に前記中央処理ユニットは前記動作状態から前記低消費電力状態に遷移することが可能とされ、
前記送信回路は前記ランダムアクセスメモリから前記処理データを読み出して、当該読み出しデータを前記変調回路に転送して、当該転送されたデータに応答して前記変調回路は前記アンテナから送信されるＲＦ送信信号を生成可能とされる請求項４に記載の半導体集積回路。
【請求項６】
前記第１受信信号は国際規格ＩＳＯ／ＩＥＣ１４４４３のタイプＡに準拠するものであり、前記第２受信信号は国際規格ＩＳＯ／ＩＥＣ１４４４３のタイプＢに準拠するものであり、前記第３受信信号は国際規格ＩＳＯ／１８０９２に準拠するものである請求項５に記載の半導体集積回路。
【請求項７】
基板上に半導体集積回路と配線により形成されたアンテナとが実装されたＩＣカードであって、
前記半導体集積回路は、第１アンテナ接続端子と、第２アンテナ接続端子と、電源回路と、復調回路と、判定回路とを有して、
前記第１アンテナ接続端子と前記第２アンテナ接続端子との間には前記アンテナによって受信されるＲＦ信号が供給可能とされ、前記電源回路は前記ＲＦ信号の整流・平滑によって生成する動作電圧を前記復調回路と前記判定回路とに供給可能とされ、
前記復調回路は第１復調回路と第２復調回路とを含み、前記第１アンテナ接続端子と前記第２アンテナ接続端子との間に供給される前記ＲＦ信号は前記第１復調回路の入力と前記第２復調回路の入力とに並列に供給可能とされ、
前記第１復調回路は、前記ＲＦ信号として第１変調度を持つ第１受信信号を復調することによって第１復調出力信号を生成可能とされ、
前記第２復調回路は、前記ＲＦ信号として前記第１変調度と異なる値の第２変調度および第１フォーマットの第１通信開始信号を持つ第２受信信号と前記第２変調度および第２フォーマットの第２通信開始信号を持つ第３受信信号を復調することによって第２復調出力信号を生成可能とされ、
前記第１復調回路の前記第１復調出力信号と前記第２復調回路の前記第２復調出力信号とは、前記判定回路に供給可能とされ、
前記第１復調回路が前記第１復調出力信号を生成することを前記判定回路によって判定される場合には、前記ＲＦ信号として前記第１変調度を持つ前記第１受信信号が受信されていると前記判定回路によって判定され、
前記第１復調回路が前記第１復調出力信号を生成しないことを前記判定回路によって判定される場合には、前記判定回路は前記第１通信開始信号と前記第２通信開始信号とのフォーマットの相違を判定可能とされ、
前記第２復調回路が前記第１フォーマットの前記第１通信開始信号を持つ前記第２受信信号を復調することによって前記第２復調出力信号を生成することを前記判定回路によって判定される場合には、前記ＲＦ信号として前記第２受信信号が受信されていると前記判定回路によって判定され、
前記第２復調回路が前記第２フォーマットの前記第２通信開始信号を持つ前記第３受信信号を復調することによって前記第２復調出力信号を生成することを前記判定回路によって判定される場合には、前記ＲＦ信号として前記第３受信信号が受信されていると前記判定回路によって判定されるＩＣカード。
【請求項８】
前記第１復調回路が前記第１復調出力信号を生成することを前記判定回路によって判定された場合には、前記判定回路から生成される制御信号によって前記第２復調回路の動作が停止可能とされ、
前記第１復調回路が前記第１復調出力信号を生成しないことを前記判定回路によって判定された場合には、前記判定回路から生成される前記制御信号によって前記前記第１復調回路の動作が停止可能とされる請求項７に記載のＩＣカード。
【請求項９】
前記第１受信信号と前記第２受信信号と前記第３受信信号とはＡＳＫ変調信号であり、前記第１変調度と前記第２変調度とはＡＳＫ変調度であり、前記第２変調度は前記第１変調度よりも小さなＡＳＫ変調度を持ち、
前記第１復調回路は大きなＡＳＫ変調度の前記第１変調度を持つ前記第１受信信号を復調することによって前記第１復調出力信号を生成可能とされ、
前記第２復調回路は前記小さなＡＳＫ変調度の前記第２変調度を持つ前記第２受信信号と前記第３受信信号を復調することによって前記第２復調出力信号を生成可能とされる請求項８に記載のＩＣカード。
【請求項１０】
前記第２受信信号の前記第１フォーマットの前記第１通信開始信号は第１ユーザーデータに先行する第１ヘッダ情報であり、
前記第３受信信号の前記第２フォーマットの前記第２通信開始信号は第２ユーザーデータに先行する第２ヘッダ情報である請求項９に記載のＩＣカード。
【請求項１１】
前記半導体集積回路は、中央処理ユニットと、ランダムアクセスメモリと、不揮発性メモリと、受信回路と、送信回路と、変調回路とを更に有して、
前記不揮発性メモリには、前記中央処理ユニットが実行する処理プログラムが格納され、
前記第１復調回路から生成される前記第１復調出力信号に含まれる第１受信データと前記第２復調回路から生成される前記第２復調出力信号に含まれる第２受信データとは、前記受信回路を介して前記ランダムアクセスメモリに格納され、
前記第１受信データと前記第２受信データとの一方のデータの前記ランダムアクセスメモリへの格納の以前では、前記中央処理ユニットは低消費電力状態に制御され、
前記一方のデータの前記ランダムアクセスメモリへの前記格納に応答して前記中央処理ユニットは前記低消費電力状態から動作状態に遷移され、前記動作状態に遷移した前記中央処理ユニットは前記ランダムアクセスメモリの格納データを読み出すことが可能とされ、
前記中央処理ユニットは前記ランダムアクセスメモリから読み出した前記格納データを前記処理プログラムに従って処理して当該処理データを前記ランダムアクセスメモリに格納して、当該格納の後に前記中央処理ユニットは前記動作状態から前記低消費電力状態に遷移することが可能とされ、
前記送信回路は前記ランダムアクセスメモリから前記処理データを読み出して、当該読み出しデータを前記変調回路に転送して、当該転送されたデータに応答して前記変調回路は前記アンテナから送信されるＲＦ送信信号を生成可能とされる請求項１０に記載のＩＣカード。
【請求項１２】
前記第１受信信号は国際規格ＩＳＯ／ＩＥＣ１４４４３のタイプＡに準拠するものであり、前記第２受信信号は国際規格ＩＳＯ／ＩＥＣ１４４４３のタイプＢに準拠するものであり、前記第３受信信号は国際規格ＩＳＯ／１８０９２に準拠するものである請求項１１に記載のＩＣカード。
【請求項１３】
基板上に半導体集積回路と配線により形成されたアンテナとが実装されたＩＣカードの動作方法であって、
前記半導体集積回路は、第１アンテナ接続端子と、第２アンテナ接続端子と、電源回路と、復調回路と、判定回路とを有して、
前記第１アンテナ接続端子と前記第２アンテナ接続端子との間には前記アンテナによって受信されるＲＦ信号が供給可能とされ、前記電源回路は前記ＲＦ信号の整流・平滑によって生成する動作電圧を前記復調回路と前記判定回路とに供給可能とされ、
前記復調回路は第１復調回路と第２復調回路とを含み、前記第１アンテナ接続端子と前記第２アンテナ接続端子との間に供給される前記ＲＦ信号は前記第１復調回路の入力と前記第２復調回路の入力とに並列に供給可能とされ、
前記第１復調回路は、前記ＲＦ信号として第１変調度を持つ第１受信信号を復調することによって第１復調出力信号を生成可能とされ、
前記第２復調回路は、前記ＲＦ信号として前記第１変調度と異なる値の第２変調度および第１フォーマットの第１通信開始信号を持つ第２受信信号と前記第２変調度および第２フォーマットの第２通信開始信号を持つ第３受信信号を復調することによって第２復調出力信号を生成可能とされ、
前記第１復調回路の前記第１復調出力信号と前記第２復調回路の前記第２復調出力信号とは、前記判定回路に供給可能とされ、
前記第１復調回路が前記第１復調出力信号を生成することを前記判定回路によって判定される場合には、前記ＲＦ信号として前記第１変調度を持つ前記第１受信信号が受信されていると前記判定回路によって判定され、
前記第１復調回路が前記第１復調出力信号を生成しないことを前記判定回路によって判定される場合には、前記判定回路は前記第１通信開始信号と前記第２通信開始信号とのフォーマットの相違を判定可能とされ、
前記第２復調回路が前記第１フォーマットの前記第１通信開始信号を持つ前記第２受信信号を復調することによって前記第２復調出力信号を生成することを前記判定回路によって判定される場合には、前記ＲＦ信号として前記第２受信信号が受信されていると前記判定回路によって判定され、
前記第２復調回路が前記第２フォーマットの前記第２通信開始信号を持つ前記第３受信信号を復調することによって前記第２復調出力信号を生成することを前記判定回路によって判定される場合には、前記ＲＦ信号として前記第３受信信号が受信されていると前記判定回路によって判定されるＩＣカードの動作方法。
【請求項１４】
前記第１復調回路が前記第１復調出力信号を生成することを前記判定回路によって判定された場合には、前記判定回路から生成される制御信号によって前記第２復調回路の動作が停止可能とされ、
前記第１復調回路が前記第１復調出力信号を生成しないことを前記判定回路によって判定された場合には、前記判定回路から生成される前記制御信号によって前記前記第１復調回路の動作が停止可能とされる請求項１３に記載のＩＣカードの動作方法。
【請求項１５】
前記第１受信信号と前記第２受信信号と前記第３受信信号とはＡＳＫ変調信号であり、前記第１変調度と前記第２変調度とはＡＳＫ変調度であり、前記第２変調度は前記第１変調度よりも小さなＡＳＫ変調度を持ち、
前記第１復調回路は大きなＡＳＫ変調度の前記第１変調度を持つ前記第１受信信号を復調することによって前記第１復調出力信号を生成可能とされ、
前記第２復調回路は前記小さなＡＳＫ変調度の前記第２変調度を持つ前記第２受信信号と前記第３受信信号を復調することによって前記第２復調出力信号を生成可能とされる請求項１４に記載のＩＣカードの動作方法。
【請求項１６】
前記第２受信信号の前記第１フォーマットの前記第１通信開始信号は第１ユーザーデータに先行する第１ヘッダ情報であり、
前記第３受信信号の前記第２フォーマットの前記第２通信開始信号は第２ユーザーデータに先行する第２ヘッダ情報である請求項１５に記載のＩＣカードの動作方法。
【請求項１７】
前記半導体集積回路は、中央処理ユニットと、ランダムアクセスメモリと、不揮発性メモリと、受信回路と、送信回路と、変調回路とを更に有して、
前記不揮発性メモリには、前記中央処理ユニットが実行する処理プログラムが格納され、
前記第１復調回路から生成される前記第１復調出力信号に含まれる第１受信データと前記第２復調回路から生成される前記第２復調出力信号に含まれる第２受信データとは、前記受信回路を介して前記ランダムアクセスメモリに格納され、
前記第１受信データと前記第２受信データとの一方のデータの前記ランダムアクセスメモリへの格納の以前では、前記中央処理ユニットは低消費電力状態に制御され、
前記一方のデータの前記ランダムアクセスメモリへの前記格納に応答して前記中央処理ユニットは前記低消費電力状態から動作状態に遷移され、前記動作状態に遷移した前記中央処理ユニットは前記ランダムアクセスメモリの格納データを読み出すことが可能とされ、
前記中央処理ユニットは前記ランダムアクセスメモリから読み出した前記格納データを前記処理プログラムに従って処理して当該処理データを前記ランダムアクセスメモリに格納して、当該格納の後に前記中央処理ユニットは前記動作状態から前記低消費電力状態に遷移することが可能とされ、
前記送信回路は前記ランダムアクセスメモリから前記処理データを読み出して、当該読み出しデータを前記変調回路に転送して、当該転送されたデータに応答して前記変調回路は前記アンテナから送信されるＲＦ送信信号を生成可能とされる請求項１６に記載のＩＣカードの動作方法。
【請求項１８】
前記第１受信信号は国際規格ＩＳＯ／ＩＥＣ１４４４３のタイプＡに準拠するものであり、前記第２受信信号は国際規格ＩＳＯ／ＩＥＣ１４４４３のタイプＢに準拠するものであり、前記第３受信信号は国際規格ＩＳＯ／１８０９２に準拠するものである請求項１７に記載のＩＣカードの動作方法。
【請求項１９】
更に第１レジスタ、第２レジスタを有し、
前記第１レジスタは、判定回路の判定結果を格納可能で、
前記第２レジスタは、受信処理中の受信エラー結果を格納可能で、
前記第１復調回路又は前記第２復調回路は、前記判定回路による前記第１レジスタへの判定結果の設定に応じて停止され、
前記第２レジスタへの設定後、前記第１レジスタはクリアされ、前記復調回路は前記受信処理を実行する請求項１記載の半導体集積回路。
【請求項２０】
更に第１レジスタ、第２レジスタを有し、
前記第１レジスタは、判定回路の判定結果を格納可能で、
前記第２レジスタは、受信処理中の受信エラー結果を格納可能で、
前記第１復調回路又は前記第２復調回路は、前記判定回路による前記第１レジスタへの判定結果の設定に応じて停止され、
前記第２レジスタへの設定後、前記第１レジスタはクリアされ、前記復調回路は前記受信処理を実行する請求項７記載のＩＣカード。
【請求項２１】
更に第１レジスタ、第２レジスタを有し、
前記第１レジスタは、判定回路の判定結果を格納可能で、
前記第２レジスタは、受信処理中の受信エラー結果を格納可能で、
前記第１復調回路又は前記第２復調回路は、前記判定回路による前記第１レジスタへの判定結果の設定に応じて停止され、
前記第２レジスタへの設定後、前記第１レジスタはクリアされ、前記復調回路は前記受信処理を実行する請求項１３記載のＩＣカードの動作方法。